(57)【要約】【課題】カメラ本体に補助電池を設けることなく計時回路部をバックアップすることが可能なカメラを提供すること。【解決手段】このカメラ１は、カメラ本体１０に着脱可能なリモコン２０を備え、当該リモコン２０によって遠隔操作が可能であり、リモコン２０は、その内部に設けられた電池２０４によって給電されることで遠隔操作が可能であり、カメラ本体１０には、撮影の際の日時を計測するための計時回路１０２ｂを含む電気回路部１０２と、電気回路部１０２へ電力を供給するための主電池１０５とを備え、リモコン２０がカメラ本体１０に装着されている状態で、主電池１０５がカメラ本体１０から取り外された場合に、電池２０４が計時回路１０２ｂに給電する。【選択図】　図２
2004045765.tif 000002
【特許請求の範囲】
【請求項１】
本体に着脱可能な遠隔操作装置を備え、当該遠隔操作装置によって遠隔操作が可能なカメラにおいて、
前記遠隔操作装置は、その内部に設けられた電源供給手段によって給電されることで遠隔操作が可能であり、
前記本体には、撮影の際の日時を計測するための計時手段を含む電気回路部と、前記電気回路部へ電力を供給するための主電池とを備え、
前記遠隔操作装置が前記本体に装着されている状態で、前記主電池が前記本体から取り外された場合に、前記電源供給手段が前記計時手段に給電することを特徴とするカメラ。
【発明の詳細な説明】
【０００１】
【発明の属する技術分野】
本発明は撮影の際の日時を計測するための計時手段を有するカメラに関する。
【０００２】
【従来の技術】
カメラには、撮影の際の日時をフィルムに写し込むいわゆるデート機能を有するものがある。このデート機能を有するカメラは、その撮影の際の日時を写し込むためのデート写込部と、その日時を計測するための計時手段としての計時回路部を有している。計時回路部には、通常は主電池から給電されるが、主電池の交換時には一時的に主電池からの給電がされなくなり、計時回路部の計時機能が停止する。計時回路部の計時機能が停止すると、計時回路部が計測する日時が初期化されてしまい、実際の日時との間にずれが生じることとなる。このずれを解消するためには、カメラのユーザが計時回路部の日時の設定を修正することが必要であるが、日時の設定の修正作業は煩わしい場合もある。
【０００３】
そこで、特開平７−２８１５９号公報や特開平８−２８６２５８号公報に記載のように、電池交換等のため主電池が取り外された場合に、主電池に代わって補助電池が給電を行うようにしたカメラがある。
【０００４】
【発明が解決しようとする課題】
このようにカメラ本体に補助電池を設けたカメラは、計時回路部へ常時給電するために電池を設けるよりも容量の小さい電池で済むという利点はあるけれども、主電池の他に電池を設けることには変わりがなく、より効率的に計時回路部をバックアップすることができるカメラが望まれている。
【０００５】
そこで本発明では、カメラ本体に補助電池を設けることなく計時回路部をバックアップすることが可能なカメラを提供することを課題とする。
【０００６】
【課題を解決するための手段】
本発明のカメラは、本体に着脱可能な遠隔操作装置を備え、当該遠隔操作装置によって遠隔操作が可能であって、遠隔操作装置は、その内部に設けられた電源供給手段によって給電されることで遠隔操作が可能であり、本体には、撮影の際の日時を計測するための計時手段を含む電気回路部と、電気回路部へ電力を供給するための主電池とを備え、遠隔操作装置が本体に装着されている状態で、主電池が本体から取り外された場合に、電源供給手段が計時手段に給電することを特徴とする。
【０００７】
本発明のカメラによれば、主電池が取り外された場合に、本体に装着されている遠隔操作装置から計時手段へ給電するので、主電池から計時手段への給電が停止しても計時手段をバックアップすることができる。
【０００８】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【０００９】
本実施形態のカメラ１を図１を用いて説明する。カメラ１は、撮影レンズ１１０と、フラッシュ１１１と、レリーズボタン１１２と、表示部（図示しない）と、ファインダ１１３とを含む。撮影レンズ１１０、フラッシュ１１１及びファインダ１１３は、カメラ１の前面１１４に設けられ、レリーズボタン１１２及び表示部（図示しない）は、カメラ１の天面に設けられている。カメラ１を使用するユーザは、撮影の際には撮影レンズ１１０が被写体に向かうようにカメラ１を保持し、ファインダ１１３を通して被写体を確認し、構図が定まればレリーズボタン１１２を押下する。レリーズボタン１１２を押下すると、カメラ１は焦点合わせを行い、露出といった撮影に必要な種々の設定を行って、撮影を実行する。撮影の際に光量が不足している場合には、フラッシュ１１１がたかれて不足している光量を補う。撮影が実行されると、撮影レンズ１１０を通過した光が銀塩フィルム上に到達し、銀塩フィルムが感光して被写体が銀塩フィルム上に写しこまれる。
【００１０】
カメラ１は、撮影時の日時をフィルムに写しこむことが可能なデート機能も有している。このデート機能は、カメラ１に組み込まれているＣＰＵ、基準クロック発生回路、デート写込部等によって実現される。基準クロック発生回路は、基準となるクロック信号を発生させるものであり、例えば水晶発振子等で構成されている。ＣＰＵは、クロック信号に従って計時を行う計時手段としての計時回路を含む。デート写込部は、カメラ１が被写体を撮像する際に、表示時刻を写し込むための部分である。
【００１１】
カメラ１は更に、カメラ本体１０に着脱可能なリモコン（遠隔操作装置）２０を備える。リモコン２０はカメラ本体１０の装着部１０１に装着されてカメラ１のグリップ部分として機能している。リモコン２０を遠隔操作装置として使用する場合には、装着部１０１から外してカメラ本体１０の受光部１１５に向けてリモコンスイッチを押して信号を送信し、カメラ本体１０は受光部１１５が受信した信号に呼応してレリーズボタン１１２を押下したのと同様の撮影動作を行う。
【００１２】
本実施形態のカメラ１の回路構成図を図２に示す。カメラ１のカメラ本体１０側には主電池１０５が設けられており、電気回路部１０２の制御回路１０２ａ及び計時回路（計時手段）１０２ｂに給電している。制御回路１０２ａはカメラ１が撮影動作を行う際に各部の動作を制御する部分であり、計時回路１０２ｂはデート機能を果たすために現在時刻を取得する部分である。制御回路１０２ａと計時回路１０２ｂとの間にはダイオード１０４が配置されている。
【００１３】
カメラ１のリモコン２０側には電池（電源供給手段）２０４が設けられており、リモコン２０を使用する際に、スイッチ２０１が閉じられると制御回路２０２に給電する。制御回路２０２は電池２０４からの給電に応じて赤外発光ダイオード２０３を発光させ、カメラ本体１０の受光部１１５に所定の信号を送信するように構成されている。また、リモコン２０の電池２０４よりも、カメラ本体１０との電気接点側にはダイオード２０６が配置されている。
【００１４】
リモコン２０がカメラ本体１０に装着されている場合には、図示しない電気接点を介してリモコン２０の電気回路とカメラ本体の電気回路とが電気的に接続される。このような構成をとることによって、カメラ本体１０の主電池１０５が取り外された場合には、リモコン２０の電池２０４からカメラ本体１０の計時回路１０２ｂに給電されることとなる。
【００１５】
本実施形態の変形例である回路構成図を図３に示す。図３に示す例においては、図２の回路構成図のダイオード２０６が取り外され、電池２０４がコンデンサ（電源供給手段）２０５に置換されている。コンデンサ２０５は、高容量であることが望ましく電気二重層コンデンサが好ましい。また、コンデンサ２０５の代わりに二次電池を用いてもよい。図３に示す例に拠れば、リモコン２０をカメラ本体１０に装着している場合には、カメラ本体１０の主電池１０５からコンデンサ２０５が給電される。リモコン２０を取り外して使用する際に、スイッチ２０１が閉じられると、コンデンサ２０５から制御回路２０２に給電される。制御回路２０２はコンデンサ２０５からの給電に応じて赤外発光ダイオード２０３を発光させて、カメラ本体１０の受光部１１５に所定の信号を送信する。
【００１６】
既に説明したように、リモコン２０がカメラ本体１０に装着されている場合には、図示しない電気接点を介してリモコン２０の電気回路とカメラ本体の電気回路とが電気的に接続される。従って、カメラ本体１０の主電池１０５が取り外された場合には、リモコン２０のコンデンサ２０５からカメラ本体１０の計時回路１０２ｂに給電されることとなる。
【００１７】
尚、本実施形態ではリモコン２０が備える電池２０４やコンデンサ２０５から計時回路１０２ｂが給電されるようになっているが、リモコン以外の機器であっても、カメラ本体１０に着脱可能であり、カメラ本体１０に装着可能な機器であれば本実施形態に示すような構成とすることができる。
【００１８】
更に、本実施形態のカメラ１では、リモコン２０を装着した状態でなければ主電池１０５が取り外せないようにしてもよい。このような構成とするためには種々の手段があるけれども、一例としては、主電池１０５を収納する電池収納室の蓋をリモコン２０が装着されている場合には開くことができるようにし、リモコン２０が装着されていない場合には開くことができないようする態様がある。
【００１９】
本実施形態の作用及び効果について説明する。カメラ本体１０側の主電池１０５が取り外された場合に、カメラ本体１０に装着されているリモコン２０の電池２０４（又はコンデンサ２０５）から計時回路１０２ｂへ給電するので、主電池１０５から計時回路１０２ｂへの給電が停止しても計時回路１０２ｂをバックアップすることができる。尚、カメラとしては、銀塩カメラ、デジタルカメラ、ビデオカメラといった種類を問わず適用可能である。
【００２０】
【発明の効果】
本発明のカメラは、主電池が取り外された場合に、本体に装着されている遠隔操作装置から計時手段へ給電するので、主電池から計時手段への給電が停止しても計時手段をバックアップすることができる。よって本発明の目的とする、カメラ本体に補助電池を設けることなく計時回路部をバックアップすることが可能なカメラを提供することができる。
【図面の簡単な説明】
【図１】本発明の実施形態であるカメラの外観図である。
【図２】本発明の実施形態であるカメラの回路構成図である。
【図３】本発明の実施形態であるカメラの回路構成図である。
【符号の説明】
１…カメラ、１０…カメラ本体、２０…リモコン、１０１…装着部、１０２…電気回路部、１０２ａ…制御回路、１０２ｂ…計時回路、１０４…ダイオード、１０５…主電池、１１１…フラッシュ、１１２…レリーズボタン、１１３…ファインダ、１１４…前面、１１５…受光部、１１０…撮影レンズ、２０１…スイッチ、２０２…制御回路、２０３…赤外発光ダイオード、２０４…電池、２０５…コンデンサ、２０６…ダイオード。
【図１】
2004045765.tif 000003
【図２】
2004045765.tif 000004
【図３】
2004045765.tif 000005